(57)【要約】【課題】同期位置を固定する回路を採用することにより製造コストを低減することができる映像表示装置及びマルチ表示システム、並びに、同期位置を固定する同期位置固定回路を提供する。【解決手段】映像表示装置は、入力水平同期信号Ｈ３、データ位置信号ＤＥ３、クロック信号、及び第１、第２の同期位置設定値に基づく出力水平同期信号Ｈ５を生成する水平同期位置固定部１０７と、入力垂直同期信号Ｖ３、入力水平同期信号Ｈ３、データ位置信号ＤＥ３、クロック信号、及び第３、第４の同期位置設定値に基づく出力垂直同期信号Ｖ５を生成する垂直同期位置固定部１０８と、デジタル映像信号ＲＧＢ３に基づく映像を出力水平同期信号Ｈ５及び出力垂直同期信号Ｖ５に同期して表示部１１０に表示させる信号処理部１０９とを有する。【選択図】        図１
2004347667.tif 000002
【特許請求の範囲】
【請求項１】
映像を表示する表示手段を有する映像表示装置において、
入力水平同期信号、データ位置信号、クロック信号、及び水平同期位置設定信号を受け取り、前記入力水平同期信号、前記データ位置信号、前記クロック信号、及び前記水平同期位置設定信号に基づく出力水平同期信号を生成する水平同期位置固定手段と、
入力垂直同期信号、前記入力水平同期信号、前記データ位置信号、前記クロック信号、及び垂直同期位置設定信号を受け取り、前記垂直同期信号、前記入力水平同期信号、前記データ位置信号、前記クロック信号、及び前記垂直同期位置設定信号に基づく出力垂直同期信号を生成する垂直同期位置固定手段と、
デジタル映像信号、前記出力水平同期信号、及び前記出力垂直同期信号を受け取り、前記デジタル映像信号に基づく映像を前記出力水平同期信号及び前記出力垂直同期信号に同期して前記表示手段に表示させる信号処理手段とを有することを特徴とする映像表示装置。
【請求項２】
前記デジタル映像信号、前記入力水平同期信号、前記入力垂直同期信号、前記データ位置信号、及び前記クロック信号を受信する受信手段をさらに有することを特徴とする請求項１に記載の映像表示装置。
【請求項３】
アナログ映像信号、前記入力水平同期信号、前記入力垂直同期信号、前記クロック信号、及び同期位置設定信号を受信し、前記アナログ映像信号から前記デジタル映像信号を生成する変換手段をさらに有することを特徴とする請求項１に記載の映像表示装置。
【請求項４】
前記デジタル映像信号、前記入力水平同期信号、前記入力垂直同期信号、前記データ位置信号、及び前記クロック信号を受信する受信手段と、
アナログ映像信号、前記入力水平同期信号、前記入力垂直同期信号、前記クロック信号、及び同期位置設定信号を受信し、前記アナログ映像信号から前記デジタル映像信号を生成する変換手段と、
前記受信手段からの出力又は前記変換手段からの出力のいずれかを選択して前記信号処理手段、前記水平同期位置固定手段、及び前記垂直同期位置固定手段に出力する第１の選択手段とをさらに有することを特徴とする請求項１に記載の映像表示装置。
【請求項５】
前記受信手段からの出力又は前記変換手段からの出力のいずれかを選択して出力する第２の選択手段と、前記第２の選択手段の出力を外部に送信する送信手段と
をさらに有することを特徴とする請求項４に記載の映像表示装置。
【請求項６】
前記水平同期位置設定信号が、第１及び第２の同期位置設定値に関する情報を含み、
前記水平同期位置固定手段が、
前記入力水平同期信号の立ち下がり又は立ち上がりエッジでカウント値をクリアしてから、カウントを開始する第１のカウンタと、
前記データ位置信号の立ち下がり又は立ち上がりエッジで前記第１のカウンタの第１のカウント値を記憶する第１のレジスタと、
前記第１のカウント値と前記第１の同期位置設定値とを加算する第１の加算手段と、
前記第１のカウンタの出力値と前記第１の加算手段の出力値とを比較する第１の比較手段と、
前記第１のカウント値と前記第２の同期位置設定値とを加算する第２の加算手段と、
前記第１のカウンタの出力値と前記第２の加算手段の出力値とを比較する第２の比較手段と、
前記第１の比較手段の比較結果及び前記第２の比較手段の比較結果に基づくタイミングで立ち下がり又は立ち上がる前記出力水平同期信号を生成する第１の同期信号生成手段とを有することを特徴とする請求項１から５までのいずれかに記載の映像表示装置。
【請求項７】
前記垂直同期位置設定信号が、第３及び第４の同期位置設定値に関する情報を含み、
前記垂直同期位置固定手段が、
前記入力垂直同期信号の立ち下がり又は立ち上がりエッジでカウント値をクリアしてから、カウントを開始する第２のカウンタと、
前記データ位置信号の立ち下がり又は立ち上がりエッジで前記第２のカウンタの第２のカウント値を記憶する第２のレジスタと、
前記第２のカウント値と前記第３の同期位置設定値とを加算する第３の加算手段と、
前記第２のカウンタの出力値と前記第３の加算手段の出力値とを比較する第３の比較手段と、
前記第３のカウント値と前記第４の同期位置設定値とを加算する第４の加算手段と、
前記第２のカウンタの出力値と前記第４の加算手段の出力値とを比較する第４の比較手段と、
前記第３の比較手段の比較結果及び前記第４の比較手段の比較結果に基づくタイミングで立ち下がり又は立ち上がる前記出力垂直同期信号を生成する第２の同期信号生成手段とを有することを特徴とする請求項１から６までのいずれかに記載の映像表示装置。
【請求項８】
デイジーチェイン接続された第１段から第ｎ（ｎは２以上の整数）段までの映像表示装置を有するマルチ表示システムであって、
前記第１段から第ｎ段までの映像表示装置のそれぞれが、
映像を表示する表示手段と、
入力水平同期信号、データ位置信号、クロック信号、及び水平同期位置設定信号を受け取り、前記入力水平同期信号、前記データ位置信号、前記クロック信号、及び前記水平同期位置設定信号に基づく出力水平同期信号を生成する水平同期位置固定手段と、
入力垂直同期信号、前記入力水平同期信号、前記データ位置信号、前記クロック信号、及び垂直同期位置設定信号を受け取り、前記垂直同期信号、前記入力水平同期信号、前記データ位置信号、前記クロック信号、及び前記垂直同期位置設定信号に基づく出力垂直同期信号を生成する垂直同期位置固定手段と、
デジタル映像信号、前記出力水平同期信号、及び前記出力垂直同期信号を受け取り、前記デジタル映像信号に基づく映像を前記出力水平同期信号及び前記出力垂直同期信号に同期して前記表示手段に表示させる信号処理手段とを有し、
前記第２段から第ｎ段までの映像表示装置のそれぞれが、前記デジタル映像信号、前記入力水平同期信号、前記入力垂直同期信号、前記データ位置信号、及び前記クロック信号を受信する受信手段を有し、
前記第１段から第（ｎ−１）段までの映像表示装置のそれぞれが、前記受信手段からの出力又は前記変換手段からの出力を外部に送信する送信手段を有し、
第ｐ（ｐは１以上（ｎ−１）以下の整数）段の映像表示装置の送信手段から送信された信号が第（ｐ＋１）段の映像表示装置の受信手段により受信されることを特徴とするマルチ表示システム。
【請求項９】
デイジーチェイン接続された第１段から第ｎ（ｎは２以上の整数）段までの映像表示装置を有するマルチ表示システムであって、
前記第１段から第ｎ段までの映像表示装置のそれぞれが、
映像を表示する表示手段と、
入力水平同期信号、データ位置信号、クロック信号、及び水平同期位置設定信号を受け取り、前記入力水平同期信号、前記データ位置信号、前記クロック信号、及び前記水平同期位置設定信号に基づく出力水平同期信号を生成する水平同期位置固定手段と、
入力垂直同期信号、前記入力水平同期信号、前記データ位置信号、前記クロック信号、及び垂直同期位置設定信号を受け取り、前記垂直同期信号、前記入力水平同期信号、前記データ位置信号、前記クロック信号、及び前記垂直同期位置設定信号に基づく出力垂直同期信号を生成する垂直同期位置固定手段と、
デジタル映像信号、前記出力水平同期信号、及び前記出力垂直同期信号を受け取り、前記デジタル映像信号に基づく映像を前記出力水平同期信号及び前記出力垂直同期信号に同期して前記表示手段に表示させる信号処理手段と
前記デジタル映像信号、前記入力水平同期信号、前記入力垂直同期信号、前記データ位置信号、及び前記クロック信号を受信する受信手段と、
アナログ映像信号、前記入力水平同期信号、前記入力垂直同期信号、及び前記クロック信号を受信し、前記アナログ映像信号から前記デジタル映像信号を生成する変換手段と、
前記受信手段からの出力又は前記変換手段からの出力のいずれかを選択して前記信号処理手段、前記水平同期位置固定手段、及び前記垂直同期位置固定手段に出力する第１の選択手段と、
前記受信手段からの出力又は前記変換手段からの出力のいずれかを選択して出力する第２の選択手段と、
前記第２の選択手段の出力を外部に送信する送信手段とを有し、
第ｐ（ｐは１以上（ｎ−１）以下の整数）段の映像表示装置の送信手段から送信された信号が第（ｐ＋１）段の映像表示装置の受信手段により受信されることを特徴とするマルチ表示システム。
【請求項１０】
入力同期信号、クロック信号、データ位置信号、第１の同期位置設定値、及び前記第１の同期位置設定値と異なる値の第２の同期位置設定値を受け取り、出力同期信号を生成する同期位置固定回路であって、
前記入力同期信号の立ち下がり又は立ち上がりエッジでカウント値をクリアしてから、カウントを開始するカウンタと、
前記データ位置信号の立ち下がり又は立ち上がりエッジで前記カウンタのカウント値を記憶するレジスタと、
前記レジスタが記憶するカウント値と前記第１の同期位置設定値とを加算する第１の加算手段と、
前記カウンタの出力値と前記第１の加算手段の出力値とを比較する第１の比較手段と、
前記レジスタが記憶するカウント値と前記第２の同期位置設定値とを加算する第２の加算手段と、
前記カウンタの出力値と前記第２の加算手段の出力値とを比較する第２の比較手段と、
前記第１の比較手段の比較結果及び前記第２の比較手段の比較結果に基づくタイミングで立ち下がり又は立ち上がる前記出力同期信号を生成する同期信号生成手段とを有することを特徴とする同期位置固定回路。
【請求項１１】
前記同期信号生成手段が、ＪＫフリップフロップ回路であることを特徴とする請求項１０に記載の同期位置固定回路。
【発明の詳細な説明】
【０００１】
【発明の属する技術分野】
本発明は、映像表示装置、複数台の映像表示装置をデイジーチェイン接続することによって構成されるマルチ表示システム、及び、映像表示装置において水平同期信号を基準とした映像信号開始点又は垂直同期信号を基準とした映像開始ラインを設定するために用いることができる同期位置固定回路に関するものである。
【０００２】
【従来の技術】
従来の映像表示装置としては、予め記憶部に記憶させた水平位置補正データを用いて、水平走査期間に対する映像信号期間の相対位置の補正を行うものがある（例えば、特許文献１参照）。また、従来のマルチ表示システムとしては、システムを構成する映像表示装置の入力信号の種類に応じて有効画面信号の変化点（有効信号期間）を変えるものがある。（例えば、特許文献２参照）。
【０００３】
【特許文献１】
特開平８−２６３０３２号公報（段落００１９及び００２４、図１〜４）
【特許文献２】
特開２００１−８６４２８号公報（段落００４２及び００５３、図４）
【０００４】
【発明が解決しようとする課題】
しかしながら、上記した従来技術においては、入力映像信号の種類に応じて有効信号期間を変える処理を行うための回路を持っているので、映像表示装置及びマルチ表示システムの製造コストが上昇するという問題がある。また、例えば、多数の可動式微小ミラーによって映像を投写するＤＭＤ（デジタルマイクロミラーデバイス：テキサスインスツルメント社の商標名）を用いた映像表示装置等においては、ブラウン管方式のモニターとは表示方式が異なり、帰線期間をそれほど必要としない。このため、ＤＭＤを用いた映像表示装置等においては、同期信号から映像信号の開始点までの期間を小さな値に固定することによって、映像信号を受信するための回路や映像信号に基づいて映像を表示させるための回路の簡素化を図っても映像表示性能に悪影響はない。
【０００５】
そこで、本発明は上記したような従来技術の課題を解決するためになされたものであり、その目的は、同期位置を固定する回路を採用することにより製造コストを低減することができる映像表示装置及びマルチ表示システム、並びに、同期位置を固定することができる同期位置固定回路を提供することである。
【０００６】
【課題を解決するための手段】
本発明の映像表示装置は、映像を表示する表示手段を有する装置であって、入力水平同期信号、データ位置信号、クロック信号、及び水平同期位置設定信号を受け取り、前記入力水平同期信号、前記データ位置信号、前記クロック信号、及び前記水平同期位置設定信号に基づく出力水平同期信号を生成する水平同期位置固定手段と、入力垂直同期信号、前記入力水平同期信号、前記データ位置信号、前記クロック信号、及び垂直同期位置設定信号を受け取り、前記垂直同期信号、前記入力水平同期信号、前記データ位置信号、前記クロック信号、及び前記垂直同期位置設定信号に基づく出力垂直同期信号を生成する垂直同期位置固定手段と、デジタル映像信号、前記出力水平同期信号、及び前記出力垂直同期信号を受け取り、前記デジタル映像信号に基づく映像を前記出力水平同期信号及び前記出力垂直同期信号に同期して前記表示手段に表示させる信号処理手段とを有するものである。
【０００７】
また、本発明のマルチ表示システムは、デイジーチェイン接続された第１段から第ｎ（ｎは２以上の整数）段までの映像表示装置を有するシステムであって、前記第１段から第ｎ段までの映像表示装置のそれぞれが、映像を表示する表示手段と、入力水平同期信号、データ位置信号、クロック信号、及び水平同期位置設定信号を受け取り、前記入力水平同期信号、前記データ位置信号、前記クロック信号、及び前記水平同期位置設定信号に基づく出力水平同期信号を生成する水平同期位置固定手段と、入力垂直同期信号、前記入力水平同期信号、前記データ位置信号、前記クロック信号、及び垂直同期位置設定信号を受け取り、前記垂直同期信号、前記入力水平同期信号、前記データ位置信号、前記クロック信号、及び前記垂直同期位置設定信号に基づく出力垂直同期信号を生成する垂直同期位置固定手段と、デジタル映像信号、前記出力水平同期信号、及び前記出力垂直同期信号を受け取り、前記デジタル映像信号に基づく映像を前記出力水平同期信号及び前記出力垂直同期信号に同期して前記表示手段に表示させる信号処理手段とを有し、前記第２段から第ｎ段までの映像表示装置のそれぞれが、前記デジタル映像信号、前記入力水平同期信号、前記入力垂直同期信号、前記データ位置信号、及び前記クロック信号を受信する受信手段を有し、前記第１段から第（ｎ−１）段までの映像表示装置のそれぞれが、前記受信手段からの出力又は前記変換手段からの出力を外部に送信する送信手段を有し、第ｐ（ｐは１以上（ｎ−１）以下の整数）段の映像表示装置の送信手段から送信された信号が第（ｐ＋１）段の映像表示装置の受信手段により受信されるものである。
【０００８】
また、本発明の同期位置固定回路は、入力同期信号、クロック信号、データ位置信号、第１の同期位置設定値、及び前記第１の同期位置設定値と異なる値の第２の同期位置設定値を受け取り、出力同期信号を生成する同期位置固定回路であって、前記入力同期信号の立ち下がり又は立ち上がりエッジでカウント値をクリアしてから、カウントを開始するカウンタと、前記データ位置信号の立ち下がり又は立ち上がりエッジで前記カウンタのカウント値を記憶するレジスタと、前記レジスタが記憶するカウント値と前記第１の同期位置設定値とを加算する第１の加算手段と、前記カウンタの出力値と前記第１の加算手段の出力値とを比較する第１の比較手段と、前記レジスタが記憶するカウント値と前記第２の同期位置設定値とを加算する第２の加算手段と、前記カウンタの出力値と前記第２の加算手段の出力値とを比較する第２の比較手段と、前記第１の比較手段の比較結果及び前記第２の比較手段の比較結果に基づくタイミングで立ち下がり又は立ち上がる前記出力同期信号を生成する同期信号生成手段とを有するものである。
【０００９】
【発明の実施の形態】
実施の形態１．
図１は、本発明の実施の形態１に係る映像表示装置の構成を概略的に示すブロック図である。図１に示されるように、実施の形態１の映像表示装置は、デジタル映像信号が入力されるデジタル映像信号入力端子１０１と、デジタル映像信号を受信する受信部１０２と、アナログ映像信号が入力されるアナログ映像信号入力端子１０３と、アナログ映像信号をデジタル映像信号に変換するデジタル信号変換部１０４とを有する。また、実施の形態１の映像表示装置は、受信部１０２からの出力信号（映像データＲＧＢ１、水平同期信号Ｈ１、垂直同期信号Ｖ１、データ位置信号ＤＥ１）とデジタル信号変換部１０４からの出力信号（映像データＲＧＢ２、水平同期信号Ｈ２、垂直同期信号Ｖ２、データ位置信号ＤＥ２）とを受け取り、いずれかを選択して出力する第１の信号選択部１０５とを有する。
さらに、実施の形態１の映像表示装置は、第１の信号選択部１０５で選択された水平同期信号Ｈ３、データ位置信号ＤＥ３、第１及び第２の同期位置設定値（水平同期位置設定信号）に基づいて水平同期信号Ｈ５を生成する水平同期位置固定部１０７と、第１の信号選択部１０５で選択された水平同期信号Ｈ３、垂直同期信号Ｖ３、データ位置信号ＤＥ３、第３及び第４の同期位置設定値（垂直同期位置設定信号）に基づいて垂直同期信号Ｖ５を生成する垂直同期位置固定部１０８とを有する。
【００１０】
さらにまた、実施の形態１の映像表示装置は、入力される映像データＲＧＢ３を水平同期信号Ｈ５と垂直同期信号Ｈ５に基づくタイミングで出力する信号処理回路１０９と、信号処理回路１０９から出力された映像データに基づく映像を表示する表示部１１０とを有する。また、実施の形態１の映像表示装置は、受信部１０２からの出力信号（映像データＲＧＢ１、水平同期信号Ｈ１、垂直同期信号Ｖ１、データ位置信号ＤＥ１）とデジタル信号変換部１０４からの出力信号（映像データＲＧＢ２、水平同期信号Ｈ２、垂直同期信号Ｖ２、データ位置信号ＤＥ２）とを受け取り、いずれかを選択して出力する第２の信号選択部１０６と、第２の信号選択部１０６により選択されたデジタル映像信号（映像データＲＧＢ４、水平同期信号Ｈ４、垂直同期信号Ｖ４、データ位置信号ＤＥ４）を後段の映像表示装置に送信する送信部１１１と、デジタル映像信号出力端子１１２とを有する。
【００１１】
次に、実施の形態１の映像表示装置の動作を説明する。デジタル映像信号ＲＧＢ１、水平同期信号Ｈ１、垂直同期信号Ｖ１、及びデータ位置信号ＤＥ１が、デジタル映像信号入力端子１０１を通して受信部１０２に入力される。受信部１０２は、デジタル映像信号ＲＧＢ１、水平同期信号Ｈ１、垂直同期信号Ｖ１、及びデータ位置信号ＤＥ１を、第１の信号選択部１０５と第２の信号選択部１０６に出力する。受信部１０２には、例えば、ＤＶＩ（Ｄｉｇｉｔａｌ  Ｖｉｓｕａｌ  Ｉｎｔｅｒｆａｃｅ）規格に基づく映像信号が入力される。
【００１２】
また、アナログ映像信号、水平同期信号、及び垂直同期信号が、アナログ映像信号入力端子１０３を通してデジタル信号変換部１０４に入力される。さらに、図示しないマイコン等によって生成された同期位置設定信号がデジタル信号変換部１０４に入力される。デジタル信号変換部１０４は、入力されたアナログ映像信号、水平同期信号、垂直同期信号、及び同期位置設定信号に基づいて、デジタル映像信号ＲＧＢ２、水平同期信号Ｈ２、垂直同期信号Ｖ２、及びデータ位置信号ＤＥ２を生成し、第１の信号選択部１０５と第２の信号選択部１０６に出力する。水平同期信号Ｈ２を基準とするデータ位置信号ＤＥ２の位置は、デジタル信号変換部１０４に入力される同期位置設定信号に基づいて決定される。
【００１３】
第１の信号選択部１０５は、図示しないマイコン等からの第１の選択信号を受け取る。第１の信号選択部１０５は、第１の選択信号に基づいて、受信部１０２からの出力信号（デジタル映像信号ＲＧＢ１、水平同期信号Ｈ１、垂直同期信号Ｖ１、データ位置信号ＤＥ１）、又は、デジタル信号変換部１０４からの出力信号（デジタル映像信号ＲＧＢ２、水平同期信号Ｈ２、垂直同期信号Ｖ２、データ位置信号ＤＥ２）のいずれかを選択して出力する。なお、第１の信号選択部１０５からの出力信号を、デジタル映像信号ＲＧＢ３、水平同期信号Ｈ３、垂直同期信号Ｖ３、及びデータ位置信号ＤＥ３とする。
【００１４】
第２の信号選択部１０６は、図示しないマイコン等からの第２の選択信号を受け取る。第２の信号選択部１０６は、第２の選択信号に基づいて、受信部１０２からの出力信号（デジタル映像信号ＲＧＢ１、水平同期信号Ｈ１、垂直同期信号Ｖ１、データ位置信号ＤＥ１）、又は、デジタル信号変換部１０４からの出力信号（デジタル映像信号ＲＧＢ２、水平同期信号Ｈ２、垂直同期信号Ｖ２、データ位置信号ＤＥ２）のいずれかを選択して出力する。なお、第２の信号選択部１０６からの出力信号を、デジタル映像信号ＲＧＢ４、水平同期信号Ｈ４、垂直同期信号Ｖ４、データ位置信号ＤＥ４とする。
【００１５】
水平同期位置固定部１０７は、水平同期信号Ｈ３、データ位置信号ＤＥ３、クロック信号、第１及び第２の同期位置設定値を受け取り、水平同期信号Ｈ５を生成して出力する。この処理により、映像信号の種類にかかわらず、水平同期信号Ｈ５を基準としたデジタル映像信号ＲＧＢ３の映像開始点の位置を一定に保たせている。また、図示しないマイコン等からの第１及び第２の同期位置設定値を変更することにより、データ位置信号ＤＥ３と水平同期信号Ｈ５の位置関係を可変としている。なお、水平同期位置固定部１０７の詳細な動作は、後述する。
【００１６】
垂直同期位置固定部１０８は、垂直同期信号Ｖ３、水平同期信号Ｈ３、データ位置信号ＤＥ３、クロック信号、第３及び第４の同期位置設定値（垂直同期位置設定信号）を受け取り、垂直同期信号Ｖ５を生成して出力する。この処理により、映像信号の種類にかかわらず、垂直同期信号Ｖ５を基準としたデジタル映像信号ＲＧＢ３の映像開始ラインの位置を一定に保たせている。また、図示しないマイコン等からの第３及び第４の同期位置設定値を変更することにより、データ位置信号ＤＥ３と垂直同期信号Ｈ５の位置関係を可変としている。なお、垂直同期位置固定部１０８の詳細な動作は、後述する。
【００１７】
信号処理回路１０９は、多種多様な解像度を持つ映像信号を受け取り、一定の解像度に変換して出力する。表示部１１０は、信号処理回路１０９から出力された映像信号に基づいて映像を表示する。
【００１８】
送出部１１１は、第２の信号選択部１０６からのデジタル映像信号ＲＧＢ４、水平同期信号Ｈ４、垂直同期信号Ｖ４、及びデータ位置信号ＤＥ４を受け取り、例えば、ＤＶＩ規格に基づく映像信号をデジタル映像信号出力端子１１２を通して後段の映像表示装置に出力する。
【００１９】
図２（ａ）は水平同期信号と水平映像期間を示すタイミングチャートであり、図２（ｂ）は垂直同期信号と垂直映像期間を示すタイミングチャートである。また、表１は、実施の形態１の映像表示装置に入力される入力信号ＳＶＧＡ、ＸＧＡ１、ＸＧＡ２、ＳＸＧＡを例示したものである。
【表１】
2004347667.tif 000003
【００２０】
表１に示される信号名ＳＶＧＡにおいては、解像度は８００画素（水平）×６００ライン（垂直）であり、水平同期信号の前縁（立ち下がりエッジ）から映像信号開始位置（水平映像期間の前縁）までの水平バックポーチ（図２（ａ））の画素数は８８画素である。また、表１に示される信号名ＸＧＡ１においては、解像度は１０２４画素（水平）×７６８ライン（垂直）であり、水平同期信号の前縁（立ち下がりエッジ）から映像信号開始位置（水平映像期間の前縁）までの水平バックポーチの画素数は１６０画素である。また、表１に示される信号名ＸＧＡ２においては、解像度は１０２４画素（水平）×７６８ライン（垂直）であり、水平同期信号の前縁（立ち下がりエッジ）から映像信号開始位置（水平映像期間の前縁）までの水平バックポーチの画素数は１４４画素である。このように、解像度が同じであっても映像信号開始位置が同じとは限らない。
【００２１】
信号名ＸＧＡ１の場合、水平ドット数は１３４４画素であり、水平解像度は１０２４画素あり、両者の差である３２０画素（＝１３４４画素−１０２４画素）が情報の伝達には利用しない水平帰線期間である。また、信号名ＸＧＡ１の場合、垂直ライン数は８００ラインであり、垂直解像度は７６８ラインであり、両者の差３２ライン（＝８００ライン−７６８ライン）が情報の伝達には利用しない垂直帰線期間である。
【００２２】
ここで、水平帰線期間及び垂直帰線期間が大きい値に設定されているのは、ブラウン管方式のモニターに合わせて信号のタイミングを決めたためである。ブラウン管を用いたラスタースキャン方式では、電子ビームの戻り時間がある程度必要で、これが帰線期間に相当している。ＤＭＤを用いた映像表示装置等は、ブラウン管方式のモニターとは表示方式が異なり、帰線期間をそれほど必要としない。このため、ＤＭＤを用いた映像表示装置等においては、水平同期位置固定部１０７及び垂直同期位置固定部１０８によって同期信号から映像信号の開始点までの期間を小さな値に固定して、映像信号を受信する回路や映像信号に基づいて映像を表示させるための回路の簡素化を図っても性能に悪影響はない。ただし、本発明は、ＤＭＤを用いた映像表示装置に限定されるものではない。
【００２３】
図３は、水平同期位置固定部１０７の構成を示すブロック図である。水平同期信号が水平同期信号入力端子２０１から入力されると、第１のカウンタ２０３は水平同期信号Ｈ３の前縁（例えば、後述する図４における水平同期信号の立ち下がりエッジ）でカウントをクリアし、クロック入力端子２０２から入力されるクロック（ｃｌｏｃｋ）のカウントを開始する。入力されたクロックは、第１の信号選択回路１０５により選択された映像信号のドットクロックであり、カウント値は水平同期信号Ｈ３の前縁からの画素数を数えていることになる。第１のレジスタ２０４は、第１のカウンタ２０３の出力をデータ位置信号入力端子２０５に入力されるデータ位置信号ＤＥ３の前縁（例えば、後述する図４におけるデータ位置信号ＤＥの立ち上がりエッジ）で記憶する。これは、水平同期信号Ｈ３の前縁からデータ位置信号ＤＥ３の前縁までの画素数を記憶したことになる。第１のレジスタ２０４の出力と図示しないマイコン等からの第１の同期位置設定値を第１の加算器２０６にて加算する。さらに、第１のレジスタ２０４の出力と図示しないマイコン等からの第２の同期位置設定値を第２の加算器２０７にて加算する。
【００２４】
第１の比較器２０８は、第１のカウンタ２０３の出力値と、第１の加算器２０６の出力値とを比較し、両方の値が同じである時には出力信号ａ１として‘１’（ハイレベル）を出力し、それ以外のときには出力信号ａ１として‘０’（ローレベル）を出力する。この第１の比較器２０８の出力信号ａ１は、水平同期信号Ｈ３の前縁からデータ位置信号ＤＥ３の前縁までの画素数を、図示しないマイコン等からの第１の同期位置設定値だけずらした時点において‘１’になる。同様に、第２の比較器２０９は、第１のカウンタ２０３の出力値と、第２の加算器２０７の出力値とを比較して、両方の値が同じである時には出力信号ｂ１として‘１’を出力し、それ以外のときには出力信号ｂ１として‘０’を出力する。この第２の比較器２０９の出力信号ｂ１は、水平同期信号Ｈ３の前縁からデータ位置信号ＤＥ３の前縁までの画素数を、図示しないマイコン等からの第２の同期位置設定値だけずらした時点において‘１’になる。
【００２５】
第１のＪＫ−ＦＦ（第１のＪＫフリップフロップ回路）２１０は、出力信号ａ１とｂ１の状態で出力が決まり、図３の中のＪＫＦＦ真理値表に示されるように、ａ１が‘１’でｂ１が‘０’の時に出力が‘０’になり、ａ１が‘０’でｂ１が‘１’の時に出力が‘１’になる。第１のＪＫ−ＦＦ２１０から出力される水平同期信号出力が、水平同期信号出力端子２１１を通して出力される。
【００２６】
図４は、図３の水平同期位置固定部１０７の動作を示すタイミングチャートである。図４に示されるように、水平同期信号は一定の周期で繰り返される信号である。また、データ位置信号（ＤＥ（データイネーブル）信号）も水平同期信号と同じ周期で繰り返される信号あるが、時間位置が異なる。なお、データ位置信号ＤＥのハイレベルの位置と、ＲＧＢ映像信号の位置は、予め合わせて入力される。
【００２７】
水平同期信号の前縁（立ち下がりエッジ）でカウントをクリア（“０”にする）してから、ドットクロックのカウントを開始し、データ位置信号ＤＥの前縁（立ち上がりエッジ）でカウント値（図４においては、“５５”）を第１のレジスタ２０４にて記憶する。第１のレジスタ２０４の値“５５”と第１の同期位置設定値“−４”を加算した値“５１”と、第１のカウンタ２０３の値を第１の比較器２０８で比較した位置を図では示している。図４においては、図示しないマイコン等からの第１の同期位置設定値を“−４”と、負の値を設定している。これは第１のレジスタ２０４の値より差し引いた値であり、時間関係では、データ位置信号ＤＥ位置よりも前の位置を設定していることになる。入力する信号が切り替わった瞬間では位置関係は定まらないが、信号が確定して、第１のレジスタ２０４で記憶するデータ位置信号ＤＥの前縁位置が確定すれば、次の周期で位置が確定することになる。これは映像信号の繰り返し性を応用している。
【００２８】
同様に、第２の比較器２０９も図示しないマイコン等からの第２の同期位置設定値“−２”と第１のレジスタ２０４の値“５５”を加算した値“５３”と、第１のカウンタ２０３の値とを比較している。図示しないマイコン等からの第１の同期位置設定値は、第１のＪＫ−ＦＦ２１０から出力される水平同期信号出力の前縁を指定しており、第２の同期位置設定値は後縁を指定している。
【００２９】
なお、図４のタイミングチャートにおいては、第１及び第２の同期位置設定値は負の値を例示したが、この値は正の値でもよい。第１及び第２の同期位置設定値を正の値にすると、データ位置信号ＤＥより後ろに水平同期信号出力が現れ、データ位置信号ＤＥが確定すると、その後直ちに水平同期信号が出力される。このため、第１及び第２の同期位置設定値を正の値にした場合には、第１及び第２の同期位置設定値を負の値に設定したときに発生する、信号が切り替わった直後の１周期遅れはない。
【００３０】
図５は、垂直同期位置固定部１０８の構成を示すブロック図である。垂直同期信号と水平同期信号が入力端子３０１から入力されると、第２のカウンタ３０３は垂直同期信号の前縁（例えば、後述する図６における垂直同期信号の立ち下がりエッジ）でカウントをクリアし、水平同期信号の前縁とクロック入力端子３０２から入力されたクロックを用いてカウントを開始する。入力されたクロックは、第１の信号選択回路１０５により選択された映像信号のドットクロックであり、カウント値は垂直同期信号Ｖ５の前縁から水平同期信号のライン数を数えていることになる。第２のレジスタ３０４は、第２のカウンタ３０３の出力を、垂直同期信号の前縁を受信してから最初に受信するデータ位置信号ＤＥの前縁（例えば、後述する図６におけるデータ位置信号ＤＥの立ち上がりエッジ）で記憶し、２回目以後のデータ位置信号ＤＥの前縁では記憶しないようにする。これによって、垂直同期信号の前縁から最初のデータ位置信号ＤＥの前縁までのライン数を記憶したことになる。第２のレジスタ３０４の出力と図示しないマイコン等からの第３の同期位置設定値を第３の加算器３０６にて加算する。さらに、第２のレジスタ３０４の出力と図示しないマイコン等からの第４の同期位置設定値を第２の加算器３０７にて加算する。
【００３１】
第３の比較器３０８は、第２のカウンタ３０３の出力値と、第３の加算器３０６の出力値を比較し、両方の値が同じである時には出力信号ａ２として‘１’を出力し、それ以外のときには出力信号ａ２として‘０’を出力する。この第３の比較器３０８の出力信号ａ２は、垂直同期信号Ｈ３の前縁から最初のデータ位置信号ＤＥの前縁までのライン数に、図示しないマイコン等からの第３の同期位置設定値の値だけずらした時点において‘１’になる。同様に、第４の比較器３０９は、第２のカウンタ３０３の値と、第４の加算器３０７の出力値を比較して、両方の値が同じである時には出力信号ｂ２として‘１’を出力し、それ以外のときには出力信号ｂ２として‘０’を出力する。この第４の比較器３０９の出力信号ｂ２は、垂直同期信号Ｖ３の前縁から最初のデータ位置信号ＤＥの前縁までのライン数に、図示しないマイコン等からの第２の同期位置設定値だけずらした時点において‘１’になる。
【００３２】
第２のＪＫ−ＦＦ（第１のＪＫフリップフロップ回路）３１０は、出力信号ａ２とｂ２の状態で出力が決まり、図５のＪＫＦＦ真理値表に示されるように、ａ２が‘１’でｂ２が‘０’の時に出力が‘０’になり、ａ２が‘０’でｂ２が‘１’の時に出力が‘１’になる。第２のＪＫ−ＦＦ３１０から出力される垂直同期信号出力を垂直同期信号出力３１１から出力する。
【００３３】
図６は、図５の垂直同期位置固定部１０８の動作を示すタイミングチャートである。図６に示されるように、垂直同期信号は一定の周期で繰り返した信号である。また、データ位置信号（ＤＥ信号）は、垂直同期信号と同じ周期（水平同期信号において切れ込んだ部分が無いと仮定した場合の波形の周期）であり、垂直データ位置信号と水平データ位置信号とを多重した信号である。なお、データ位置信号ＤＥのハイレベル位置がＲＧＢ映像信号の位置である。
【００３４】
垂直同期信号Ｖ３の前縁（立ち下がりエッジ）でカウントをクリア（“０”にする）してから、ドットクロックのカウントを開始し、垂直同期信号Ｖ３の前縁を受信してから最初に受信するデータ位置信号ＤＥの前縁でカウント値（図６においては、“６”）を第２のレジスタ３０４にて記憶する。第２のレジスタ３０４の値“６”と第３の同期位置設定値の値“−３”を加算した値“３”と、第２のカウンタ３０３の値を第３の比較器３０８で比較した位置を図では示している。図６では、図示しないマイコン等からの第３の同期位置設定値の値を“−３”と、負の値を設定している。これは第２のレジスタ３０４の値より差し引いた値であり、時間関係では、データ位置信号ＤＥ位置よりも前の位置を設定していることになる。入力する信号が切り替わった瞬間では位置関係は定まらないが、信号が確定して第２のレジスタ３０４が記憶するデータ位置信号ＤＥの前縁位置が確定すれば、次の周期（フレーム）で位置が確定することになる。これは水平同期位置固定部と同様に、映像信号の繰り返し性を応用している。
【００３５】
同様に、第４の比較器３０９も図示しないマイコン等からの第４の同期位置設定値“−１”と第２のレジスタ３０４の値“６”を加算した値“５”と、第２のカウンタ３０３の値とを比較している。図示しないマイコン等からの第３の同期位置設定値は、第２のＪＫ−ＦＦ３１０から出力される水平同期信号出力の前縁を指定しており、第４の同期位置設定値は後縁を指定している。なお、図６のタイミングチャートは、クロック入力端子３０２に入力するクロックで動作する同期式で書いているので、第３の比較器３０８の出力と第４の比較器３０９の出力は１水平期間中ハイが出力し、このハイ期間中にはドットクロックが多数存在する。第３の比較器３０８の出力と第４の比較器３０９の出力のハイが出力した後の最初のドットクロックで第２のＪＫ−ＦＦ３１０の出力（図６の垂直同期出力の波形）が確定するので、タイミングチャートも実動作に合わせて書いている。
【００３６】
なお、図６のタイミングチャートでは、第３及び第４の同期位置設定値は負の値を例示したが、この値は正の値でもよい。第３及び第４の同期位置設定値を正の値にすると、データ位置信号ＤＥより後ろにライン数単位に垂直同期信号出力が現れ、データ位置信号ＤＥが確定すると、その後直ちに垂直同期信号が出力される。このため、第３及び第４の同期位置設定値を正の値にした場合には、第３及び第４の同期位置設定値を負の値に設定したときに発生する、信号が切り替わった直後の１周期遅れはない。
【００３７】
以上説明したように、実施の形態１の映像表示装置によれば、水平同期位置固定回路１０７及び垂直同期位置固定回路１０８を採用することにより、信号処理回路１０９における映像信号の種類に応じた同期位置の補正を不要としたので、製造コストの低減を図ることができる。また、実施の形態１における水平同期信号固定回路１０７及び垂直同期位置固定回路１０８によれば、簡単な回路構成により同期位置が固定された出力同期信号を生成できる。また、本発明の映像表示装置によりマルチ表示システムを構成すれば、アナログ映像信号入力に対しては、同期信号からの映像信号の位置合わせを第１段の映像表示装置で行い、第２段以降の映像表示装置で行う必要がないので、入力段の回路の構成を簡素化することができ、その結果、製造コストの低減を図ることができる。
【００３８】
実施の形態２．
図７は、本発明の実施の形態２に係るマルチ表示システムの構成を概略的に示すブロック図である。図７に示されるように、実施の形態１のマルチ表示システムは、デイジーチェイン接続された複数台の映像表示装置を主要な構成としている。第１段の映像表示装置４００−１と、第２段の映像表示装置４００−２と、以後直列に接続された最後の第ｎ段の映像表示装置４００−ｎで構成している。
第１段の映像表示装置４００−１のデジタル映像信号送出部１１１を第２段の映像表示装置４００−２のデジタル映像信号入力端子１０１に接続し、以下同様に、第（ｎ−１）段の映像表示装置のデジタル映像信号送出部を、第ｎ段の映像表示装置４００−ｎのデジタル映像信号入力端子１０１に接続した構成である。
【００３９】
第１段の映像表示装置４００−１に入力した映像信号（アナログ映像信号又はデジタル映像信号）が、２段目以後の映像表示装置にも接続されている。例えば、４面マルチ表示の場合、４面全体で入力映像信号が表示でき、映像を４倍に拡大表示したことになる。また、ｍを３以上の自然数として、ｍ×ｍ面のマルチ表示を行うこともできる。
【００４０】
また、実施の形態２のマルチ表示システムにおいては、前段の映像表示装置の送信部から送信されたデジタル映像信号を、次段の映像表示装置の受信部１０２で受信しているので、第２段以後の映像表示装置の入力段における映像開始位置合わせが不要になる。
【００４１】
【発明の効果】
以上説明したように、本発明の映像表示装置及びマルチ表示システムによれば、水平同期位置固定手段及び垂直同期位置固定手段を採用することにより、信号処理手段における映像信号の種類に応じた同期位置の補正を不要としたので、製造コストの低減を図ることができるという効果が得られる。
【００４２】
また、本発明のマルチ表示システムによれば、アナログ映像信号入力に対しては、同期信号からの映像信号の位置合わせを第１段の映像表示装置で行い、第２段以降の映像表示装置で行う必要がないので、入力段の回路の構成を簡素化することができ、その結果、製造コストの低減を図ることができるという効果が得られる。
【００４３】
また、本発明の同期信号固定回路によれば、簡単な回路構成により同期位置が固定された出力同期信号を生成できるという効果が得られる。
【図面の簡単な説明】
【図１】本発明の実施の形態１に係る映像表示装置の構成を概略的に示すブロック図である。
【図２】（ａ）は水平走査期間と水平映像期間を示すタイミングチャートであり、（ｂ）は垂直走査期間と垂直映像期間を示すタイミングチャートである。
【図３】図１の映像表示装置における水平同期位置固定部の構成を示すブロック図である。
【図４】図３の水平同期位置固定部の動作を示すタイミングチャートである。
【図５】図１の映像表示装置における垂直同期位置固定部の構成を示すブロック図である。
【図６】図５の垂直同期位置固定部の動作を示すタイミングチャートである。
【図７】本発明の実施の形態２に係るマルチ表示システムの構成を概略的に示すブロック図である。
【符号の説明】
１０１  デジタル映像信号入力端子、  １０２  受信部、  １０３  アナログ映像信号入力端子、  １０４  デジタル信号変換部、  １０５  第１の信号選択部、  １０６  第２の信号選択部、  １０７  水平同期位置固定部、  １０８  垂直同期位置固定部、  １０９  信号処理回路、  １１０  表示部、  １１１  送信部、  １１２  デジタル映像信号出力端子、  ２０１  水平同期信号入力端子、  ２０２  クロック入力端子、  ２０３  第１のカウンタ、  ２０４  第１のレジスタ、  ２０５  データ位置信号（ＤＥ信号）入力端子、  ２０６  第１の加算器、  ２０７  第２の加算器、  ２０８  第１の比較器、  ２０９  第２の比較器、  ２１０  第１のＪＫフリップフロップ回路（第１のＪＫ−ＦＦ）、２１１  水平同期信号出力端子、  ３０１  垂直・水平同期信号入力端子、  ３０２  クロック入力端子、  ３０３  第２のカウンタ、  ３０４  第２のレジスタ、  ３０５  データ位置信号（ＤＥ信号）入力端子、  ３０６  第３の加算器、  ３０７  第４の加算器、  ３０８  第３の比較器、  ３０９  第４の比較器、  ３１０  第２のＪＫフリップフロップ回路（第２のＪＫ−ＦＦ）、  ３１１  垂直同期信号出力端子、  ４００−１，…，４００−ｎ  第１段〜第ｎ段の映像表示装置、  ＲＧＢ１，ＲＧＢ２，ＲＧＢ３，ＲＧＢ４  デジタル映像信号、  Ｈ１，Ｈ２，Ｈ３，Ｈ４  水平同期信号、  Ｈ５  水平同期位置が固定された水平同期信号、  Ｖ１，Ｖ２，Ｖ３，Ｖ４  垂直同期信号、  Ｖ５  垂直同期位置が固定された垂直同期信号、  ＤＥ，ＤＥ１，ＤＥ２，ＤＥ３，ＤＥ４  データ位置信号（データイネーブル信号）。
【図１】
2004347667.tif 000004
【図２】
2004347667.tif 000005
【図３】
2004347667.tif 000006
【図４】
2004347667.tif 000007
【図５】
2004347667.tif 000008
【図６】
2004347667.tif 000009
【図７】
2004347667.tif 000010